(57)【要約】  本発明は、静的または動的構造に対する、任意の形状または寸法のボックスの取り付けシステムに関する。このシステムは、時間を最適化し、車両のシャーシへのボックスの取り付けを簡素化する必要がある自動車部門で特に有利である。【選択図】図３
2021529121.tif 000002
【特許請求の範囲】
【請求項１】
自動車分野および一般的なボックスのための迅速接続取付けシステムであって、角柱形容器（２）と、ヒンジ（１１）によって角柱形容器（２）に固定されたロック可能なドア（３）と、一端で車両のシャーシＴに固定された少なくとも２つの円錐台状ブラケット（５）とを備え、角柱形容器（２）は、少なくとも２つの円錐台状ブラケット（５）と相互に係合するのに適した少なくとも２つの円錐管状ハウジング（２１）を備え、円錐台状ブラケット（５）の各々は、管状部（５１）から形成され、２つの鏡面ハーフシェル（５２）は、管状部（５１）と係合することができ、各ハーフシェル（５２）は、その端部に、少なくとも２つの円錐台状ブラケット（５）の弾性遮断装置（５３）を少なくとも２つの円錐管状ハウジング（２１）の内側に備えることを特徴とする自動車分野および一般的なボックスのための迅速接続取付けシステム。
【請求項２】
ハーフシェル（５２）は、一致した場合に、円錐管状ハウジング（２１）と同等の鏡面を有する円錐台状ブラケット（５）を備えることを特徴とする請求項１に記載の自動車分野および一般的なボックスのための迅速接続取付けシステム。
【請求項３】
２つのハーフシェル（５２）は、各ハーフシェル（５２）の内側端部に配置され、管状部（５１）の一端部に形成された貫通空洞（５１１）の内側に係合されるのに適し、ハーフシェル（５２）の端部に形成された孔（５２２）を通過したねじ（７）または他の同等の手段によって、セミウェッジ（５２１）に順番に係合され、セミウェッジ（５２１）によって相互に係合されることを特徴とする請求項１または２に記載の自動車分野および一般的なボックスのための迅速接続取付けシステム。
【請求項４】
弾性遮断装置（５３）は、少なくとも２つの歯付弾性舌部（５３）から形成され、直径方向に配置され、各円錐管状ハウジング（２１）の外縁（２１１）と機械的に係合するのに適していることを特徴とする請求項１〜３のいずれか一項に記載の自動車分野および一般的なボックスのための迅速接続取付けシステム。
【請求項５】
水密キャップ（６）が弾性遮断装置（５３）を埋め込むことを特徴とする請求項１〜４のいずれか一項に記載の自動車分野および一般的なボックスのための迅速接続取付けシステム。
【請求項６】
キャップ（６）が、弾性遮断装置（５３）の内側に係合してその変形を防止するのに適した円筒形カラー（６１）を備えることを特徴とする請求項５に記載の自動車分野および一般的なボックスのための迅速接続取付けシステム。
【請求項７】
キャップ（６）が外部ローレットカラー（６１１）を備えていることを特徴とし、弾性遮断装置（５３）の内部で得られた対応するローレット縁部（５３１）と係合してキャップ（６）を弾性遮断装置（５３）と緊密に係合させるのに好適であることを特徴とする請求項５または６に記載の自動車分野および一般的なボックスのための迅速接続取付けシステム。
【発明の詳細な説明】
【技術分野】
【０００１】
本発明によるシステムは、静的または動的構造への安定した接続を必要とし、任意の用途を意図した、大部分の産業用車両に取り付けられるツールボックスならびに一般的なツールボックスの分野に関する。より具体的には、本発明は、前記ボックスの、車両シャーシ、または一般的なシャーシへの接続システム関する。
【０００２】
知られているように、産業用車両だけでなく、トラック、商用車両、バン、トラクタ、トレーラ、セミトレーラ、農業用トレーラ、トレーラおよび付属カート、電気自動車、キャンピングカー、トレーラハウス、またはより一般的には、例えば消火器、工具、および車両または設置場所に役立つ可能性がある他の任意のものなどの様々な性質の一連の工具を格納するためのコンテナを必要とするすべての動的および静的装置に、様々な容量のボックスが取り付けられている。
【０００３】
前記ツールボックス、または一般的なボックスは、典型的には熱可塑性プラスチック材料、金属（鋼およびアルミニウム合金）、すなわち、それらの使用から生じる応力に耐えるのに適した材料から作られ、およびほとんどの時間、大気中の物質に曝されるという事実から生じる応力に耐えるのに適した材料から作られており、ボックスが係合される少なくとも２つのブラケットを主にボルトにより、取り外し可能な接続によって、一般に、トラクタまたはトレーラのシャーシに、荷台の下または上に、またはより一般的にはすべての動的または静的装置に結合される。
【０００４】
ツールボックスおよび一般的なボックスのための公知の取り付けシステムは、一般に、いくつかの欠点および問題を有し、その中で最も重要なものは、取り付け中に、ボックスの壁を穿孔して、ピンの通過をブラケットと係合させる必要性があることであり、ブラケットは、一般に、ボルト接続による穿孔の後に、または他の方法で、ブラケットに直接溶接されて、車両シャーシまたは構造体に結合される。
【０００５】
このように進めると、ツールボックスおよび一般的なボックスの設置は一般的に困難になり、かなりの時間の浪費を伴うだけでなく、資格のある人員を活用する必要性も伴う。さらに、ボックスに穴を開けることは、ボックスの水密性を損なうことになる。
【０００６】
公知の取り付けシステムのさらなる欠点は、交通事故などによる破損、または単にメンテナンスの必要性のために、ツールボックスを取り外し、より大きなものと交換する必要がある場合である。すなわち。シャーシからのボックスを取り外す作業は、長時間を要することに加えて、多くの場合、錆および／または酸化を受けやすいボルトをボックスから取り外すために適切な工具の使用を必要とする。
【０００７】
本発明は、迅速接続取付けシステムを介して、ツールボックスおよび一般なボックスを車両シャーシまたは一般な構造体に接続することを可能にすることを目的とし、資格のある人員を使用する必要なしに、取り付けおよび取り外し作業を高速化することを可能にする。
【０００８】
本発明の更なる目的は、ツールボックスおよび一般的なボックスの接続システムを、車両シャーシまたは一般的な構造体に提供することであり、これはボックスの壁をドリル加工することを意味せず、従ってその水密性を保証することができる。
【０００９】
これらの目的は、本発明による、自動車分野および一般なボックスのための迅速接続取付けシステムによって達成され、以下の図面を示す添付図面において、特許分野におけるさらなる発展の非限定的な好ましい実施形態において、以下に記載される。
【図面の簡単な説明】
【００１０】
【図１】ドアの一部が取り外された一般的なボックスの等角図である。
【図２】接続システムの分解図である。
【図３】ボックスおよび迅速接続取付けシステムの分解等角図である。
【図４】接続システムおよび対応する円錐台ハウジングの断面図である。
【図５】接続システムとねじの形成をしているキャップの等角図である。
【００１１】
本発明による迅速接続取付けシステムを備えた車両シャーシまたは動的または静的装置に取付けられるボックスの例は、以下に符号１で示される。
【００１２】
角柱形状の容器２のボックス１は、ドア３を備え、簡単なヒンジ１１によってボックスに結合され、およびハンドル４１によって制御される機械的ロック４によってボックス１の開口をその使用者／所有者のみによって開閉される。
【００１３】
図３および図４に示すように、本発明による迅速接続システムは、その端部の１つによって、産業用車両のシャーシ、またはより一般的には動的または静的デバイスに結合される少なくとも１つのブラケット５と、および少なくとも１つの管状ハウジング２１とを含み、少なくとも１つのブラケット５と係合するに適した形状のハウジング２１は、角柱形容器２の内側に形成されている。
【００１４】
図２に示すように、各々の円錐台状ブラケット５は、その長さが円錐形管状ハウジング２１の深さに等しいこと、およびハーフシェル５２が、それらの端部に、弾性変形によって、円錐形の管状ハウジング２１の開口端２１１に機械的に係合するのに適した弾性遮断装置５３を備えていることを特徴とする、管状部５１および２つの鏡面状のハーフシェル５２で形成されている。
【００１５】
ハーフシェル５２は、管状部５１のシャーシＴに接続されていない端部に近接して形成された貫通空洞５１１によって実現される単純な機械的インターロックを介して、管状部５１に結合することができることを特徴とし、この場合、鏡面状セミウェッジ５２１が各ハーフシェル５２内に形成され、このようにして、２つの鏡面状ハーフシェル５２は、一旦、管状部５１の対応する空洞５１１内に係合されると、円錐台状ブラケット５全体を形成することに寄与する。ネジ７または他の同等の保持システムは、２つのハーフシェル５２の結合を安定に維持するのに寄与する。
【００１６】
ねじ７または他の同等のシステムはまた、鏡面状ウェッジ５２１と共に構造的安全機能を有し、偶発的な荷重が鏡面状ウェッジ５２１を引き裂いてボックス１の偶発的な取り外しを引き起こすことを防止する。
【００１７】
管状部５１は、共通の接続手段を介してシャーシＴに結合されている。ハーフシェル５２が管状部５１に接続されると、円錐台状ブラケット５全体を形成するために、円錐台状ブラケット５を円錐形管状ハウジング２１内で摺動させることによってボックス１を取り付けることが可能である。
【００１８】
円錐台状ブラケット５のストローク中、円錐状管状ハウジング２１内で弾性遮断装置５３は、円錐台状ブラケット５の端部で、円錐台状ブラケット５がストロークを終了したときにのみ終了する弾性収縮を受ける。円錐台状ブラケット５の端部に配置された弾性遮断装置５３は、対応する円錐形管状ハウジング２１の開口端２１１から出て、開口端２１１上でそれ自体を活性化することにより、ボックス１の位置を固定することができる。
【００１９】
弾性遮断装置５３が円錐形管状ハウジング２１の開口端２１１から円錐台状ブラケット５から出た後、水密性を保証すること以上に、弾性遮断装置５３内に係合するキャップ６内に形成された円筒形カラー６１によって、弾性遮断装置５３の静止位置を維持するのを助ける目的を有するキャップ６でその弾性変形を閉鎖する。
【００２０】
図５に示すように、キャップ６は、ローレット６１１を有し、これにより、この目的のために、カウンター内部ローレット５３１を有する遮断装置５３に取り付けることができる。
【００２１】
ボックスを円錐台状ブラケット５から外すには、キャップ６を取り外して、ローレット抵抗に打ち勝つための適度な引抜き力を加え、内側に変形させることにより、弾性遮断装置５３を開き、円錐台状ブラケット５をハウジング２１から外すことによりボックス１を引き抜くだけでよい。
【００２２】
好ましい実施形態では、弾性遮断装置５３は、開口端２１１における各円錐管状ハウジング２１の機械的係合に適した、少なくとも２つの直径方向に配置された歯付弾性舌部５３からなる。
【図１】
2021529121.tif 000003
【図２】
2021529121.tif 000004
【図３】
2021529121.tif 000005
【図４】
2021529121.tif 000006
【図５】
2021529121.tif 000007
【国際調査報告】
2021529121.tif 000008
2021529121.tif 000009
2021529121.tif 000010